【手続補正書】
【提出日】平成25年2月23日(2013.2.23)
【手続補正１】
【補正対象書類名】特許請求の範囲
【補正対象項目名】全文
【補正方法】変更
【補正の内容】
【特許請求の範囲】
【請求項１】
第１要求信号に基づいて、第１の処理を実行する第１処理部と、
第２要求信号に基づいて、第２の処理を実行する第２処理部と、
前記第１処理部が前記第１の処理を実行中に、前記第２要求信号を検知すると、前記第２処理部の処理速度を遅くして前記第２の処理を実行させる制御部を有することを特徴とする情報処理装置。
【請求項２】
前記第２処理部は、前記第２要求信号に基づいて、第１の処理速度又は当該第１の処理速度より遅い第２の処理速度のいずれかを選択し、選択した処理速度で前記第２の処理を実行し、
前記制御部は、前記第１処理部が第１の処理を実行中に、前記第２要求信号を検知すると、前記第２処理部に前記第２の処理速度で前記第２の処理を実行させることを特徴とする請求項１記載の情報処理装置。
【請求項３】
前記第１処理部は、前記第１の処理である原稿の読取処理を実行する原稿読取部であり、
前記第２処理部は、前記第２の処理である媒体への画像の形成処理を実行する画像形成部であることを特徴とする請求項２記載の情報処理装置。
【請求項４】
前記第１処理部は、前記第１の処理である媒体への画像の形成処理を実行する画像形成部であり、
前記第２処理部は、前記第２の処理である原稿の読取処理を実行する原稿読取部であることを特徴とする請求項２記載の情報処理装置。
【請求項５】
請求項３記載の情報処理装置において、
更に、前記第２要求信号に基づいてカラー画像又はモノクロ画像のいずれの画像が前記媒体に形成されるかを判定するカラー判定部を有し、
前記制御部は、
前記カラー判定部によりモノクロ画像が前記媒体に生成されると判定されると、前記原稿読取部が原稿の読取処理を実行中に前記第２要求信号を検知した場合でも、前記画像形成部に前記第１の処理速度で媒体への画像の形成処理を実行させることを特徴とする情報処理装置。
【請求項６】
請求項４記載の情報処理装置において、
前記第１要求信号に基づいてカラー画像又はモノクロ画像のいずれの画像が前記媒体に形成されるかを判定するカラー判定部を有し、
前記制御部は、
前記カラー判定部によりモノクロ画像が前記媒体に生成されると判定されると、前記画像形成部が媒体への画像の形成処理を実行中に前記第２要求信号を検知した場合でも、前記原稿読取部に前記第１の処理速度で原稿の読取処理を実行させることを特徴とする情報処理装置。
【請求項７】
第１要求信号に基づいて、第１の処理を実行する第１処理部と、
第２要求信号に基づいて、第１の処理速度、当該第１の処理速度より遅い第２の処理速度、又は当該第２の処理速度より遅い第３の処理速度のいずれかを選択し、選択した処理速度で第２の処理を実行する第２処理部と、
第３の処理を実行する第３処理部を設け、
更に、前記第１処理部が前記第１の処理を実行中かつ前記第３処理部が前記第３の処理を実行中に、前記第２要求信号を検知すると、前記第２処理部に前記第３の処理速度で前記第２の処理を実行させ、
前記第１処理部が前記第１の処理を実行中かつ前記第３処理部が前記第３の処理を実行していない場合、前記第２要求信号を検知すると、前記第２処理部に前記第２の処理速度で前記第２の処理を実行させ、
前記第１処理部が前記第１の処理を実行しておらず、かつ前記第３処理部が前記第３の処理を実行していない場合、前記第２要求信号を検知すると、前記第２処理部に前記第１の処理速度で前記第２の処理を実行させる制御部を有することを特徴とする情報処理装置。
【請求項８】
前記第１処理部は、前記第１の処理である原稿の読取処理を実行する原稿読取部であり、
前記第２処理部は、前記第２の処理である媒体への画像の形成処理を実行する画像形成部であり、
前記第３処理部は、前記第３の処理である媒体への後処理を実行する後処理部であることを特徴とする請求項７記載の情報処理装置。
【請求項９】
前記第１処理部は、前記第１の処理である媒体への画像の形成処理を実行する画像形成部であり、
前記第２処理部は、前記第２の処理である原稿の読取処理を実行する原稿読取部であり、
前記第３処理部は、前記第３の処理である媒体への後処理を実行する後処理部であることを特徴とする請求項７記載の情報処理装置。
【請求項１０】
前記後処理は、ステープル又はパンチ処理であることを特徴とする請求項８又は９記載の情報処理装置。
【請求項１１】
読取処理を実行する読取部と、
媒体への画像形成処理を実行する画像形成部とを有し、
前記画像形成部は、
画像形成処理の要求信号を受信する印刷動作要求受信部と、
前記読取部の動作状態を保持する第１状態管理部と、
前記第１状態管理部により保持される前記読取部の動作状態が駆動中のとき、前記画像形成処理の処理速度を低速に切り替える印刷速度切替部と、
前記第１状態管理部により保持される前記読取部の動作状態が駆動中のとき、前記印刷動作要求受信部が前記画像形成処理の要求信号を受信すると、前記印刷速度切替部が切り替えた低速の処理速度で前記画像形成処理を実行する第１制御部を有し、
前記読取部は、
読取処理の要求信号を受け付ける読取動作要求受付部と、
画像形成部の動作状態を保持する第２状態管理部と、
前記第２状態管理部により保持される前記読取部の動作状態が駆動中のとき、前記読取処理の処理速度を低速に切り替える読取速度切替部と、
前記第２状態管理部により保持される前記読取部の動作状態が駆動中のとき、前記読取動作要求受付部が前記読取処理の要求信号を受け付けると、前記読取速度切替部が切り替えた低速の処理速度で、前記読取処理を実行する第２制御部を有することを特徴とする情報処理装置。
【請求項１２】
前記第１状態管理部は、
前記読取部における読取処理が終了すると当該読取部から動作状態が待機中の旨の情報を取得し、前記読取部における読取処理が開始される直前に当該読取部から動作状態が駆動中の旨の情報を取得し、
前記第２状態管理部は、
前記画像形成部における画像形成処理が終了すると当該画像形成部から動作状態が待機中の旨の情報を取得し、前記画像形成部における画像形成処理が開始される直前に当該画像形成部から動作状態が駆動中の旨の情報を取得することを特徴とする請求項１１記載の情報処理装置。
【手続補正２】
【補正対象書類名】明細書
【補正対象項目名】発明の名称
【補正方法】変更
【補正の内容】
【発明の名称】情報処理装置
【手続補正３】
【補正対象書類名】明細書
【補正対象項目名】０００７
【補正方法】変更
【補正の内容】
【０００７】
上記課題を解決するために本発明に関する情報処理装置は、第１要求信号に基づいて、第１の処理を実行する第１処理部と、第２要求信号に基づいて、第２の処理を実行する第２処理部と、前記第１処理部が第１の処理を実行中に、前記第２要求信号を検知すると、前記第２処理部の処理速度を遅くして前記第２の処理を実行させる制御部を有することを特徴とするものである。
【手続補正４】
【補正対象書類名】明細書
【補正対象項目名】００１６
【補正方法】変更
【補正の内容】
【００１６】
一方、スキャナユニット１３０において、読取動作要求受付部としてのオペレータパネル１３１はオペレータが操作するスキャナ読取動作の要求を受け付ける。スキャナ送受信部２３２は、スキャナ読取動作の要求を受け付けたオペレータパネル１３１と前記印刷ユニット送受信部２０２とのスキャンデータや読取データの送受信を行う。制御部としてのスキャナコントロール部２３３はスキャナ読取動作を行うためスキャナ１３３をコントロールするとともに、スキャナユニット１３０の各部をコントロールする。印刷ユニット状態管理部２３６は印刷ユニット１２０の動作状態、即ち駆動中か待機中かの情報を保持する。読取速度切替部２３４は印刷ユニット１２０の動作状態に基づいたスキャナコントロール部２３３の制御によりスキャナ１３３の読取速度を切り替えるよう構成される。ここで読取速度が高速になると瞬間消費電力は高くなる。
【手続補正５】
【補正対象書類名】明細書
【補正対象項目名】００５８
【補正方法】変更
【補正の内容】
【００５８】
一方、スキャナユニット５３０において、読取動作要求受付部としてのオペレータパネル５３１はオペレータが操作するスキャナ読取動作の要求を受け付ける。スキャナ送受信部６３２は、スキャナ読取動作の要求を受け付けたオペレータパネル５３１と前記印刷ユニット送受信部６０２とのスキャンデータや読取データの送受信を行う。制御部としてのスキャナコントロール部６３３はスキャナ読取動作を行うためスキャナ５３３をコントロールするとともに、スキャナユニット５３０の各部をコントロールする。印刷ユニット状態管理部６３６は印刷ユニット５２０の動作状態、即ち駆動中か待機中かの情報を保持する。読取速度切替部６３４は印刷ユニット５２０の動作状態に基づいたスキャナコントロール部６３３の制御によりスキャナ５３３の読取速度を切り替えるよう構成される。